(57)【要約】【課題】スラット体をチェーン体側から容易に取り外すことができるスラットコンベヤを提供する。【解決手段】フレーム体３の前後端部の左右にそれぞれ設けられた前後のスプロケット同士に巻回された左右一対の無端状のチェーン体９と、これら両チェーン体にサイドブラケット21を介して取り付けられるとともに両チェーン体同士間で所定ピッチ置きで配置されて物品の搬送経路を形成する複数のスラット体10とを有するスラットコンベヤであって、サイドブラケット21とスラット体10とを連結する連結用ねじ23の連結位置を、サイドブラケット21とチェーン体10とを連結する連結用ピン24の連結位置よりも、上方で且つチェーン体９を上方から案内する押さえ体36よりも上方に位置させたもの。【選択図】図４
2008115005.tif 000002
【特許請求の範囲】
【請求項１】
フレーム体の前後端部の左右にそれぞれ設けられた前後のスプロケット同士に巻回された左右一対の無端状のチェーン体と、これら両チェーン体に取付体を介して取り付けられるとともに両チェーン体同士間で所定ピッチ置きで配置されて物品の搬送経路を形成する複数のスラット体とを有するスラットコンベヤであって、
上記取付体とスラット体とを連結するスラット用連結具の連結位置を、上記取付体とチェーン体とを連結するチェーン用連結具の連結位置よりも、上方で且つ上記チェーン体を上方から案内する押さえ体またはカバー体よりも上方に位置させたことを特徴とするスラットコンベヤ。
【請求項２】
取付体側に、スラット体の端部を上方から案内・載置して保持し得る保持部を設けたことを特徴とする請求項１に記載のスラットコンベヤ。
【請求項３】
取付体とチェーン体との間に補強用板体を配置するとともに、上記取付体を合成樹脂により形成し且つ補強用板体として鋼板を用い、
さらに上記補強用板体を取付体の表面に形成された凹状部に且つ当該補強用板体の上面が凹状部の段差部に接触するように取り付けたことを特徴とする請求項１または２に記載のスラットコンベヤ。
【請求項４】
搬送方向と直交する方向で配置されたスラット体にその軸心方向で移動自在に設けられる物品の横押し体を、スラット体に案内される本体部と、本体部の上方に設けられて物品の側部を押圧し得る押さえ部とから構成するとともに、
この押さえ部における物品との接触側端部を、少なくとも、チェーン体の上方を覆うように本体部から外方に延設したことを特徴とする請求項１に記載のスラットコンベヤ。
【発明の詳細な説明】
【技術分野】
【０００１】
本発明は、例えば仕分け設備に設けられるスラットコンベヤに関するものである。
【背景技術】
【０００２】
従来、物品を所定の搬送経路に沿って搬送するとともに、その途中で、搬送経路とは異なる分岐経路に分岐し得る搬送コンベヤを有する仕分け設備があり、またこの搬送コンベヤとして、スラットコンベヤが用いられるとともに、各スラット体には、搬送経路と直交する横方向でスライド自在な物品の横押し体（シューともいう）がそれぞれ設けられて、その下面に設けられたガイドローラを介して当該横押し体がスライドされて物品が仕分けられていた。
【０００３】
ところで、図１５および図１６に示すように、スラット体８１はサイドブラケット８２を介して、チェーン体８３に連結されていた（例えば、特許文献１参照）。
具体的には、サイドブラケット８２の前後端部に筒状部材８４が取り付けられるとともに、この筒状部材８４にチェーン体８３のリンク同士を連結するための連結ピン８５が挿通されることにより、当該サイドブラケット８２がチェーン体８３に連結されていた。
【０００４】
そして、サイドブラケット８２とスラット体８１との取り付けは、サイドブラケット８２の側面から突設された突出部材８６がスラット体８１側に形成された空間部（図示せず）に差し込まれることにより行われていた。
【０００５】
また、上記筒状部材８４の取り付け位置は、サイドブラケット８２の高さ方向の中間位置にされており、すなわちチェーン体８３のすぐ側方にサイドブラケット８２が配置された状態、言い換えれば、スラット体８１のすぐ側方に、チェーン体８３およびその保護用のカバー体８７が配置されていた。
【特許文献１】特開２００３−１２８２３５号公報
【発明の開示】
【発明が解決しようとする課題】
【０００６】
ところで、上述したスラットコンベヤの構成によると、スラット体８１に移動自在に設けられた横押し体８８が損傷して交換する必要が生じた場合、スラット体８１から横押し体８８を取り外すことになるが、当該横押し体８８を取り外すためには、サイドブラケット８２の突出部材８６をスラット体８１から抜き出さなければならず、したがってチェーン体８３およびカバー体８７も取り外す必要が生じ、その交換作業が非常に面倒になるという問題があった。
【０００７】
そこで、本発明は、スラット体をチェーン体から容易に取り外すことができるスラットコンベヤを提供することを目的とする。
【課題を解決するための手段】
【０００８】
上記課題を解決するため、本発明の請求項１に係るスラットコンベヤは、フレーム体の前後端部の左右にそれぞれ設けられた前後のスプロケット同士に巻回された左右一対の無端状のチェーン体と、これら両チェーン体に取付体を介して取り付けられるとともに両チェーン体同士間で所定ピッチ置きで配置されて物品の搬送経路を形成する複数のスラット体とを有するスラットコンベヤであって、
上記取付体とスラット体とを連結するスラット用連結具の連結位置を、上記取付体とチェーン体とを連結するチェーン用連結具の連結位置よりも、上方で且つ上記チェーン体を上方から案内する押さえ体またはカバー体よりも上方に位置させたものである。
【０００９】
また、請求項２に係るスラットコンベヤは、請求項１に記載のスラットコンベヤにおける取付体側に、スラット体の端部を上方から案内・載置して保持し得る保持部を設けたものである。
【００１０】
また、請求項３に係るスラットコンベヤは、請求項１または２に記載のスラットコンベヤにおいて、取付体とチェーン体との間に補強用板体を配置するとともに、上記取付体を合成樹脂により形成し且つ補強用板体として鋼板を用い、
さらに上記補強用板体を取付体の表面に形成された凹状部に且つ当該補強用板体の上面が凹状部の段差部に接触するように取り付けたものである。
【００１１】
さらに、請求項４に係るスラットコンベヤは、請求項１に記載のスラットコンベヤにおいて、搬送方向と直交する方向で配置されたスラット体にその軸心方向で移動自在に設けられる物品の横押し体を、スラット体に案内される本体部と、本体部の上方に設けられて物品の側部を押圧し得る押さえ部とから構成するとともに、
この押さえ部における物品との接触側端部を、少なくとも、チェーン体の上方を覆うように本体部から外方に延設したものである。
【発明の効果】
【００１２】
上記スラットコンベヤの構成によると、横押し体が損傷し交換する必要が生じた場合には、チェーン体の押さえ体またはカバー体を取り外すことなく、スラット用連結具を外すことによりスラット体を取付体から取り外すことができ、したがって従来のように、チェーン体のカバー体などを取り外す必要がないため、その交換作業を極めて容易に行うことができる。
【００１３】
また、一旦、取り外したスラット体を取付体に取り付ける際に、スラット体の端部を、取付体側に設けられた保持部に上方から案内・載置するだけで、容易に、取付体の所定位置に配置することができる。
【００１４】
さらに、横押し体の本体部に設けられた押さえ部の端部は、チェーン体の押さえ体またはカバー体の上方まで延設されているため、物品を所定位置で分岐させる際に、分岐用コンベヤ上に、より確実に案内することができる。
【発明を実施するための最良の形態】
【００１５】
［実施の形態］
以下、本発明の実施の形態に係るスラットコンベヤを、図１〜図１３に基づき説明する。
【００１６】
なお、本実施の形態においては、物品の仕分け設備に設けられるスラットコンベヤとして説明する。
このスラットコンベヤは、図１および図２に示すように、左右の側板１と前後の連結板２とにより直方体形状に形成されたフレーム体３と、このフレーム体３の前端部（搬送方向の下手側である）に配置された駆動軸４および後端部（搬送方向の上手側である）に配置された従動軸５と、同じく、フレーム体３側に設けられて駆動軸４を回転させる駆動装置（例えば電動機）６と、上記駆動軸４の左右の両端部に設けられた一対の駆動側スプロケット７と、上記従動軸５の左右の両端部に設けられた一対の従動側スプロケット８と、左右位置における駆動側スプロケット７，７同士および従動側スプロケット８，８同士に亘ってそれぞれ無端状に巻回された左右一対の駆動用チェーン体９と、これら左右のチェーン体９，９同士間にその搬送方向Ａと直交する幅方向（横方向ともいう）Ｂで且つ所定ピッチでもって多数取り付けられた棒状のスラット体１０と、これら各スラット体１０にその軸心方向（コンベヤの幅方向）でスライド自在（移動自在）に設けられた物品Ｗの横押し体（シューともいう）１１とから構成されている。なお、上記各スラット体１０は、当然に、チェーン体９に沿ってすなわち無端状に連結されて、これらスラット体１０により物品の搬送経路（搬送方向と同じＡで示す）が構成されている。
【００１７】
次に、本発明の要旨であるスラット体１０のチェーン体９への取付構造およびスラット体１０を搬送経路Ａに沿って案内する案内機構について説明しておく。
図３〜図６に示すように、スラット体１０の両端部には、サイドブラケット（取付体の一例）２１が補強用プレート（補強用板体の一例）２２を介して連結用ねじ（スラット用連結具の一例）２３により連結（一体化）されるとともに、このサイドブラケット２１の前後部はチェーン体９側のリンク９ａ，９ａ同士の連結用ピン（チェーン用連結具の一例）２４により支持（連結）されている。
【００１８】
上記サイドブラケット２１は、合成樹脂により形成されて重量およびコストの低減化が図られているとともに、この合成樹脂による強度の低下分については、鋼製つまり鋼板よりなる補強用プレート２２が用いられて強度が維持されている。
【００１９】
すなわち、図６〜図８に示すように、サイドブラケット２１の外側面には、その上方部が突出する段差部２１ｂを有する凹状部（凹部）２１ａが形成されるとともに、この凹状部２１ａに補強用プレート２２が配置され、しかもその上面が段差部２１ｂに接触するように配置される。したがって、スラット体１０に加わった荷重は、段差部２１ｂを介して補強用プレート２２に作用し、そしてチェーン体９側に支持される。
【００２０】
上記補強用プレート２２は、図６および図８の仮想線にて示すように、サイドブラケット２１の側面にほぼ等しい広さを有する矩形状に形成されるとともに、当該サイドブラケット２１には、上記連結用ねじ２３および連結用ピン２４により一体化的に連結される。
【００２１】
なお、図１１に示すように、１つのサイドブラケット２１は、前後一対のリンク９ａ，９ａに連結されており、具体的には、サイドブラケット２１の前端側は前方のリンク９ａの前側の連結用ピン２４に支持されるとともにサイドブラケット２１の後端側は後方のリンク９ａの後側の連結用ピン２４に支持されている。
【００２２】
また、スラット体１０は搬送経路Ａに沿う方向で無端状に連結されるとともに、搬送を行う往路側の上部位置を案内する上部ガイド体２６と、復路側の下部位置を案内する下部ガイド体２７とがそれぞれフレーム体３に設けられている。
【００２３】
上記上部ガイド体２６は、フレーム体３の側板１にボルト３１により固定された支持部材３２と、この支持部材３２にボルト３３および取付体３４を介して取り付けられてチェーン体９の下面を案内し得るガイドレール３５とから構成されており、また下部ガイド体２７は、同じく、フレーム体３の側板１にボルト３１により固定された支持部材３２と、この支持部材３２にボルト３３′を介して取り付けられてチェーン体９の下面を案内し得るガイドレール３５′とから構成されている。また、チェーン体９の上面を下方に案内するためのチェーン用の押さえ体３６が往路および復路にそれぞれ設けられており、この押さえ体３６も、側板１にボルト３７により固定された支持部材３８，３８′と、この支持部材３８，３８′にボルト３９を介して取り付けられてチェーン体９の上面に当接して上方への跳ね上がりを防止するための押さえレール４０とから構成されている。
【００２４】
次に、本発明の要旨であるスラット体１０のチェーン体９への取付構造、すなわちサイドブラケット２１の構造について説明する。
図６〜図１０に示すように、このサイドブラケット２１は、側面視が逆台形状に形成されるとともに、下方（下位）の前後位置において、連結用ピン２４を案内し得る下位挿通穴４１ａを有する下位ボス部４１が形成されるとともに、上方（上位）の前後位置においては、スラット体１０との連結用ねじ２３を案内し得る上位挿通穴４２ａを有する上位ボス部４２が形成されている。
【００２５】
詳しく説明すれば、チェーン体９と連結するための下位挿通穴４１ａとスラット体１０と連結するための上位挿通穴４２ａとは、高さ方向で所定距離ｈ離して設けられており、特に、上位挿通穴４２ａはチェーン体９の押さえ体３６よりも上方位置に設けられている。
【００２６】
また、サイドブラケット２１の内面側、つまりスラット体１０との接触面側には、スラット体１０の端面部を、上方から案内・載置して保持し得る載置平面部４３ａを有する保持部４３が前後に設けられており、スラット体１０をサイドブラケット２１に取り付ける際には、スラット体１０の端部を上方から保持部４３の載置平面部４３ａに案内・載置し、この状態で、連結用ねじ２３をスラット体１０の端部に形成されたねじ穴（後述する）５５ａに、容易にねじ込むことができる。
【００２７】
次に、スラット体１０について、簡単に説明しておく。
このスラット体１０は、図１１および図１２に示すように、その断面形状において、中央部が物品を載置し得る平面にされた水平載置部５１にされるとともにその前縁側および後縁側が下方に且つ外側に膨出するように湾曲された垂下側縁部５２にされており、このスラット体１０の水平載置部５１の裏面側には、横押し体１１のガイド部分（後述する被ガイド部に相当する）を配置するための案内空間部５３が形成されている。また、上記垂下側縁部５２については、中央に空洞部５４が形成されるとともに、その内側壁部が脚部５５にされている。そして、この脚部５５にはねじ穴５５ａが形成されており、サイドブラケット２１を連結する（取り付ける）ための連結用ねじ２３がこのねじ穴５５ａに螺合される。なお、垂下側縁部５２の空洞部５４の下部（図１２の斜線で示す）を切り欠いて開放させてもよい。
【００２８】
また、図１２および図１３に示すように、上記スラット体１０がスプロケット７，８の回転により復路側から往路側に移動する際に、サイドブラケット２１を介してチェーン体９に支持されたスラット体１０における水平載置部５１と垂下側縁部５２との接続部分Ｃが、スラット体１０の物品Ｗの搬送姿勢（往路側での姿勢、例えば水平姿勢である）におけるスプロケット軸心Ｄから水平載置部５１の載置面５１ａの延長線と垂下側縁部５２の外端面（垂下側縁部の最外端部における載置面と直交する平面であり、載置面に対する垂下面ともいえる）との交点Ｐまでの距離Ｒを半径とする円弧軌跡Ｍよりも内側に位置するように、当該接続部分Ｃは外側に行くにしたがって下位となるように傾斜されている。すなわち、傾斜部５６が設けられている。
【００２９】
また、横押し体１１は、図４、図５および図１１に示すように、スラット体１０に案内される本体部６１と物品を押圧して分岐させる押さえ部（プッシュ部ともいう）６２とから構成されている。上記本体部６１は、上記スラット体１０に外嵌し得る形状にされるとともに中央にその案内空間部５３に挿入し得る被ガイド部６３が形成されており、またこの被ガイド部６３の下面には、フレーム体３側に設けられたガイドレール６４に案内されて当該横押し体１１をその幅方向Ｂで移動させるためのガイドローラ６５が設けられている。また、上記押さえ部６２は本体部６１にねじ部材６６により固定されるとともに、例えば搬送方向Ａに対して所定角度θ例えば４５度でもって傾斜されて物品Ｗを搬送方向Ａと直交する幅方向Ｂに移動させ得る押圧面６２ａが形成されている。
【００３０】
さらに、上記押さえ部６２については、その搬送方向の下手側から見て、本体部６１よりも、所定長さＬだけ、具体的には、少なくとも、チェーン体９を覆うような位置まで、外側に突出するように長くされている。
【００３１】
上記スラットコンベヤにおいて、スプロケット７，８の回転により、チェーン体９およびサイドブラケット２１を介してスラット体１０が搬送方向Ａで移動されるとともに、そのガイドローラ６５を介してガイドレール６４により案内されて、所定位置で、横押し体１１が幅方向Ｂで移動されて、物品Ｗが分岐用コンベヤ６８側に移動される。
【００３２】
そして、この横押し体１１による物品Ｗの分岐時に、その本体部６１はスラット体１０の端部まで移動するが、押さえ部６２の分岐側の端部は、チェーン体９の上部ガイド体２６すなわち押さえ体３６の上方まで延設されているため、物品Ｗを分岐用コンベヤ６８上に確実に案内することができる。
【００３３】
ところで、上記構成において、例えば横押し体１１が損傷し交換する必要が生じた場合には、上位の連結用ねじ２３を外すとともにスラット体１０を上方に持ち上げることにより、当該スラット体１０を簡単にチェーン体９から取り外すことができる。すなわち、連結用ねじ２３の取付位置はチェーン体９の押さえ体３６よりも上方にされているため、従来のように、押さえ体３６を取り外す必要がないため、その交換作業を極めて容易に行うことができる。
【００３４】
さらに、一旦、外したスラット体１０をサイドブラケット２１に取り付ける際に、スラット体１０の端部を、サイドブラケット２１側に形成された保持部４３に上方から案内・載置するだけで、容易に、サイドブラケット２１側の所定位置に位置決め（セット）することができる。
【００３５】
ところで、上記実施の形態にて説明したスラットコンベヤについては、スラット体１０からチェーン体９に加わる荷重を上部ガイド体２６および下部ガイド体２７により支持するようにしたが、図１４に示すように、例えばサイドブラケット２１とチェーン体９とを連結する筒状部材７１に支持ローラ７２を取り付けるとともに、この支持ローラ７２を介して支持部材７３に支持するようにしたものでもよく、この場合、少なくとも、チェーン体９および支持ローラ７２の上方を覆うカバー体７４が設けられることになり、この場合、サイドブラケット２１とスラット体１０とを連結するスラット用連結具である連結用ねじ２３の連結位置は、カバー体７４よりも上方となるようにされる。したがって、この場合も、横押し体１１を交換する際には、カバー体７４を取り外す必要はない。
【図面の簡単な説明】
【００３６】
【図１】本発明の実施の形態に係るスラットコンベヤの概略平面図である。
【図２】同スラットコンベヤの概略側面図である。
【図３】同スラットコンベヤの概略断面図である。
【図４】同スラットコンベヤの要部断面図である。
【図５】同スラットコンベヤの要部平面図である。
【図６】同スラットコンベヤにおけるサイドブラケットの側面図である。
【図７】図６のＥ−Ｅ矢視図である。
【図８】図６のＦ−Ｆ矢視図である。
【図９】図７のＧ−Ｇ断面図である。
【図１０】図７のＨ−Ｈ断面図である。
【図１１】図３のＩ−Ｉ断面図である。
【図１２】同スラットコンベヤにおけるスラット体の断面図である。
【図１３】同スラットコンベヤにおける作用を説明する要部側面図である。
【図１４】同スラットコンベヤの変形例を説明する要部断面図である。
【図１５】従来例に係るスラット体とサイドブラケットとの連結構造を示す要部斜視図である。
【図１６】従来例に係るスラットコンベヤの要部断面図である。
【符号の説明】
【００３７】
３      フレーム体
７      駆動側スプロケット
８      従動側スプロケット
９      チェーン体
１０      スラット体
１１      横押し体
２１      サイドブラケット
２１ａ    凹状部
２１ｂ    段差部
２２      補強用プレート
２３      連結用ねじ
２４      連結用ピン
２６      上部ガイド体
２７      下部ガイド体
３６      押さえ体
４３      保持部
４３ａ    載置平面部
【図１】
2008115005.tif 000003
【図２】
2008115005.tif 000004
【図３】
2008115005.tif 000005
【図４】
2008115005.tif 000006
【図５】
2008115005.tif 000007
【図６】
2008115005.tif 000008
【図７】
2008115005.tif 000009
【図８】
2008115005.tif 000010
【図９】
2008115005.tif 000011
【図１０】
2008115005.tif 000012
【図１１】
2008115005.tif 000013
【図１２】
2008115005.tif 000014
【図１３】
2008115005.tif 000015
【図１４】
2008115005.tif 000016
【図１５】
2008115005.tif 000017
【図１６】
2008115005.tif 000018